Podtech/llm-jp-corpus-v4-ja_patent huggingface dataset:
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
第１タイミングにて、前記有利状態に制御されることに対する信頼度の異なる複数の演出態様のうちいずれかの演出態様により第１演出を実行可能であり、該第１タイミングよりも後の第２タイミングにて、前記有利状態に制御されることに対する信頼度の異なる複数の演出態様のうちいずれかの演出態様により第２演出を実行可能な演出実行手段と、
演出内容の異なる複数種類の演出モードのうちいずれかに制御可能な演出モード制御手段と、
可変表示を実行可能な可変表示実行手段と、
可変表示に対応する特定表示を表示可能な特定表示手段と、
特定表示の表示態様を変化させる変化演出を実行可能な変化演出実行手段と、を備え、
前記第１タイミングおよび前記第２タイミングは、可変表示中のタイミングであり、
前記第１演出の演出態様の数よりも前記第２演出の演出態様の数の方が少なく、
前記演出実行手段は、
前記第１演出の演出態様と少なくとも一部が共通する演出態様にて前記第２演出を実行可能であり、
複数種類の前記第１演出を実行可能であり、
前記第１演出の実行後、該第１演出の演出態様よりも前記有利状態に制御されることに対する信頼度が低い演出態様にて前記第２演出を実行可能であり、
前記第１演出が単独で実行される場合よりも、前記第１演出が実行されてから前記第２演出が実行される場合の方が、前記有利状態に制御されることに対する信頼度が高く、
前記第１演出の種類の数は、演出モードの種類によって異なり、
特定表示の表示態様には、第１態様と、該第１態様よりも有利度が高い第２態様とがあり、
変化演出の演出態様として、第１態様から第２態様に変化する割合が異なる複数の演出態様があり、
実行された変化演出の演出態様に応じて、該変化演出の後に変化演出が実行される割合が異なる
ことを特徴とする遊技機。
【手続補正２】
【補正対象書類名】明細書
【補正対象項目名】００１１
【補正方法】変更
【補正の内容】
【００１１】
（手段１）本発明による遊技機は、遊技者にとって有利な有利状態（例えば、大当り遊技状態）に制御可能な遊技機であって、第１タイミング（例えば、リーチ前）にて、有利状態に制御されることに対する信頼度の異なる複数の演出態様のうちいずれかの演出態様により第１演出（例えば、リーチ前予告演出）を実行可能であり、該第１タイミングよりも後の第２タイミング（例えば、リーチ中）にて、有利状態に制御されることに対する信頼度の異なる複数の演出態様のうちいずれかの演出態様により第２演出（例えば、リーチ中予告演出）を実行可能な演出実行手段（例えば、演出制御用マイクロコンピュータ１００における、ステップＳ４３０１を実行してからステップＳ８０１３，Ｓ８１０５を実行することにより、リーチ前予告演出およびリーチ中予告演出を実行可能である部分）と、前記有利状態とは異なる状態であって遊技者にとって有利な特別状態（例えば、高ベース状態、高確率状態）と、可変表示を実行可能な可変表示実行手段と、可変表示に対応する特定表示（例えば、保留表示。アクティブ表示でもよい。）を表示可能な特定表示手段（例えば、第１保留記憶表示部９ａ、第２保留記憶表示部９ｂ）と、特定表示の表示態様を変化させる変化演出（例えば、作用演出を伴う保留予告演出）を実行可能な変化演出実行手段（例えば、演出制御用マイクロコンピュータ１００におけるステップＳ８００Ａ，Ｓ８００４〜Ｓ８０１０，Ｓ８１０６〜Ｓ８１１４を実行する部分）と、を備え、第１タイミングおよび第２タイミングは、可変表示中のタイミングであり、第１演出の演出態様の数よりも第２演出の演出態様の数の方が少なく（例えば、リーチ前予告演出の演出態様の数が５つであるのに対し（図５１参照）、リーチ後予告演出の演出態様の数が４つである（図５２参照）。）、演出実行手段は、第１演出の演出態様と少なくとも一部が共通する演出態様にて第２演出を実行可能であり、複数種類の第１演出を実行可能であり（例えば、ステップアップ予告、リーチ前ボタン予告、ミニキャラ予告を実行可能であり）、第１演出の実行後、該第１演出の演出態様よりも前記有利状態に制御されることに対する信頼度が低い演出態様にて第２演出を実行可能であり（例えば、図５１および図５２に示す各予告実行抽選テーブルを用いて演出態様を決定することにより、リーチ前予告演出の演出態様より信頼度が低い演出態様にてリーチ中予告演出を実行可能である）、第１演出が単独で実行される場合よりも、第１演出が実行されてから第２演出が実行される場合の方が、有利状態に制御されることに対する信頼度が高く、第１演出の種類の数は、演出モードの種類によって異なり（例えば、図５１に示すように、リーチ前予告演出として、高ベースモードである場合にはステップアップ予告およびリーチ前ボタン予告を実行可能であるのに対し、低ベースモードである場合にはステップアップ予告、リーチ前ボタン予告、ミニキャラ予告を実行可能である）、特定表示の表示態様には、第１態様（例えば、特殊保留。通常保留でもよい。）と、該第１態様よりも有利度が高い第２態様（例えば、青色保留、赤色保留）とがあり、変化演出の演出態様として、第１態様から第２態様に変化する割合が異なる複数の演出態様があり（例えば図４８に示す作用演出Ａ〜Ｃ）、実行された変化演出の演出態様に応じて、該変化演出の後に変化演出が実行される割合が異なる（例えば、保留予告演出において作用演出が実行されても特殊保留のまま変化しなかった場合には、その後再び作用演出が実行されて特殊保留から青色保留や赤色保留に変化可能であるが、保留予告演出において作用演出が実行されて特殊保留から青色保留や赤色保留に変化した場合には、その後は作用演出は実行されない）。
そのような構成によれば、変化演出が実行される場合の興趣の向上を図ることができる。
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
第１ユーザと第２ユーザが協力するゲームの実行中において、前記第１ユーザが操作を行うことが可能な操作期間を設定する設定手段と、
前記操作期間において前記第１ユーザによって行われた操作に基づいて、前記ゲームを進行させる進行手段と、
を含み、
前記設定手段は、前記第１ユーザと前記第２ユーザの各々の識別情報と関連付けられたオブジェクトの効果が特定種類の効果である場合に、前記操作期間において、前記第２ユーザが操作を行うことを可能とする、
ゲームシステム。
【請求項２】
第１ユーザと第２ユーザが協力するゲームの実行中において、前記第１ユーザが操作を行うことが可能な第１操作期間を設定する設定手段と、
前記操作期間において前記第１ユーザによって行われた操作に基づいて、前記ゲームを進行させる進行手段と、
を含み、
前記設定手段は、前記第１ユーザと前記第２ユーザの各々の識別情報と関連付けられたオブジェクトの効果が特定種類の効果である場合に、前記第１操作期間に続けて、前記第２ユーザが操作を行うことが可能な第２操作期間を設定する、
ゲームシステム。
【請求項３】
第１ユーザと第２ユーザが協力するゲームの実行中において、前記第１ユーザが操作を行うことが可能な操作期間を設定する設定手段と、
前記操作期間において前記第１ユーザによって行われた操作に基づいて、前記ゲームを進行させる進行手段と、
を含み、
前記設定手段は、前記第１ユーザと前記第２ユーザの各々の識別情報と関連付けられたオブジェクトの効果が特定種類の効果である場合に、前記操作期間において、前記第２ユーザが操作を行うことを可能とする、
ゲーム制御装置。
【請求項４】
第１ユーザと第２ユーザが協力するゲームの実行中において、前記第１ユーザが操作を行うことが可能な第１操作期間を設定する設定手段と、
前記操作期間において前記第１ユーザによって行われた操作に基づいて、前記ゲームを進行させる進行手段と、
を含み、
前記設定手段は、前記第１ユーザと前記第２ユーザの各々の識別情報と関連付けられたオブジェクトの効果が特定種類の効果である場合に、前記第１操作期間に続けて、前記第２ユーザが操作を行うことが可能な第２操作期間を設定する、
ゲーム制御装置。
【請求項５】
請求項１若しくは２に記載のゲームシステム、又は、請求項３若しくは４に記載のゲーム制御装置としてコンピュータを機能させるためのプログラム。
【手続補正書】
【提出日】平成30年12月12日(2018.12.12)
【手続補正１】
【補正対象書類名】明細書
【補正対象項目名】０００１
【補正方法】変更
【補正の内容】
【０００１】
本発明は、電気回路基板を備えた遊技機に関する。
【手続補正２】
【補正対象書類名】明細書
【補正対象項目名】０００２
【補正方法】変更
【補正の内容】
【０００２】
従来の遊技機において、複数の識別情報が変動表示する変動表示ゲームを表示可能な表示手段の前方に動作可能であり、様々な発光態様で変動表示ゲームに関する演出を実行可能な可動演出装置を備えた遊技機が知られている（例えば、特許文献１参照）。
【手続補正３】
【補正対象書類名】明細書
【補正対象項目名】０００４
【補正方法】変更
【補正の内容】
【０００４】
ところで、遊技機においては、複数の電気部品が実装された電気回路基板を備え、該電気回路基板上には、各電気部品に関する情報（部品番号や実装領域の指示等）を表示している。このため、これらの情報表示の混在を避けて視認し易くすることが好ましい。また、限られた電気回路基板上のスペースを有効に活用できる態様で情報表示を行うことが好適である。
【手続補正４】
【補正対象書類名】明細書
【補正対象項目名】０００５
【補正方法】変更
【補正の内容】
【０００５】
そこで、本発明は、上記の事情に鑑みてなされたものであり、その目的は、電気回路基板上に表示される情報が視認し易く、尚且つ電気回路基板上のスペースを有効に活用できる遊技機を提供しようとするものである。
【手続補正５】
【補正対象書類名】明細書
【補正対象項目名】０００６
【補正方法】変更
【補正の内容】
【０００６】
本発明は、上記目的を達成するために提案されたものであり、複数の電気部品の一群が実装部品群として実装された電気回路基板を備えた遊技機において、
前記電気回路基板のうち前記実装部品群の実装領域から外れた箇所には、前記実装部品群に関する情報を実装部品群情報として表示し、
前記実装部品群の実装領域には、前記実装部品群に割り当てられた部品群識別情報を表示し、
前記実装部品群情報には、前記部品群識別情報と同じ態様の識別情報を表示することを特徴とする遊技機である。
【手続補正６】
【補正対象書類名】明細書
【補正対象項目名】０００７
【補正方法】変更
【補正の内容】
【０００７】
本発明によれば、電気回路基板上に表示される情報を視認し易く、尚且つ電気回路基板上のスペースを有効に活用することができる。
【手続補正７】
【補正対象書類名】特許請求の範囲
【補正対象項目名】全文
【補正方法】変更
【補正の内容】
【特許請求の範囲】
【請求項１】
複数の電気部品の一群が実装部品群として実装された電気回路基板を備えた遊技機において、
前記電気回路基板のうち前記実装部品群の実装領域から外れた箇所には、前記実装部品群に関する情報を実装部品群情報として表示し、
前記実装部品群の実装領域には、前記実装部品群に割り当てられた部品群識別情報を表示し、
前記実装部品群情報には、前記部品群識別情報と同じ態様の識別情報を表示することを特徴とする遊技機。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
天然心臓弁の修復または置換のためのデバイスであって、前記天然心臓弁は、弁輪および前記弁輪に関連付けられた天然弁尖を有し、前記デバイスは、
流入端を有する弁支持体であって、前記弁支持体は、人工弁を支持するように構成されており、前記弁支持体は、断面形状を有する、弁支持体と、
前記弁支持体の前記流入端に近接して位置付けられた拡張可能なリング形状の保持器であって、前記保持器は、前記天然弁尖の内側または流入側において前記弁輪上の組織または前記弁輪付近の組織に係合して前記組織を密閉するように構成されている、保持器と、
前記弁支持体に結合された複数のアームであって、前記複数のアームは、前記弁輪または前記弁輪の下流の前記弁尖の内向き表面に係合するように構成されている、複数のアームと
を備え、
前記弁支持体は、前記保持器が前記組織との係合によって非円形の形状に変形されているときに前記人工弁が有能なままであるように、前記弁支持体の断面形状が実質的に円筒形のままであるように、前記保持器から機械的に分離されている、デバイス。
【請求項２】
前記保持器は、前記弁支持体の上流および半径方向外向きに延在する、請求項１に記載のデバイス。
【請求項３】
前記デバイスは、複数の構成に移動可能であり、前記複数の構成は、第１の構成と第２の構成と第３の構成とを含み、
前記第１の構成では、前記弁支持体および前記保持器は、半径方向に収縮され、前記弁支持体は、第１の断面形状を有し、
前記第２の構成では、前記弁支持体および前記保持器は、半径方向に拡張され、前記弁支持体は、前記第１の断面形状よりも大きい第２の断面形状を有し、
前記第３の構成では、前記保持器は、前記弁輪上の組織または前記弁輪付近の組織と係合され、前記弁輪上の組織または前記弁輪付近の組織によって少なくとも部分的に変形される一方で、前記弁支持体は、前記第２の断面形状のままである、請求項１に記載のデバイス。
【請求項４】
前記保持器は、外周を有し、前記外周は、前記第２の構成で略円形であり、前記第３の構成で略非円形である、請求項３に記載のデバイス。
【請求項５】
前記弁支持体の少なくとも一部は、略円形であり、前記保持器は、前記組織に係合するときに略非円形に変形可能である、請求項１に記載のデバイス。
【請求項６】
前記弁支持体は、複数の支柱によって円周方向に接続された複数の柱を含み、前記保持器は、前記弁支持体から外向きかつ上流方向に延在する複数の弓形リブを含み、前記複数のリブは、前記弁支持体の周囲に分布している、請求項１に記載のデバイス。
【請求項７】
前記複数のアームは、前記弁輪または前記弁尖の表面を貫通するための１つ以上の組織係合要素を含む、請求項１に記載のデバイス。
【請求項８】
前記複数のアームは、前記弁輪または前記弁輪の下流の前記弁尖の係合によって、心房に向かう前記デバイスの移動を阻止するように構成されている、請求項１に記載のデバイス。
【請求項９】
前記複数のアームは、患者の血管系を通した前記デバイスの送達のための内向き構成から、前記弁輪上の前記組織または前記弁輪付近の前記組織の係合のための外向き構成に移動可能である、請求項１に記載のデバイス。
【請求項１０】
逆行血流を阻止するように前記弁支持体に結合された弁をさらに備える、請求項１に記載のデバイス。
【請求項１１】
前記拡張可能な保持器を覆う密閉膜をさらに備える、請求項１に記載のデバイス。
【請求項１２】
僧帽弁を処置するための人工心臓弁デバイスであって、前記デバイスは、
弁を支持するように構成された弁支持体と、
前記デバイスの流入端に位置付けられたリング形状の保持器であって、前記保持器は、心臓組織との流体シールを形成し、かつ、前記デバイスの上流移動を阻止するように構成されている、保持器と、
前記弁支持体の下流部分に結合された複数のアームであって、前記複数のアームは、前記弁輪の下流の前記弁尖の内向き表面に係合するように構成されており、前記複数のアームは、不偏構成で前記弁支持体から外向きに付勢される、複数のアームと
を備え、
天然生体構造によって前記保持器上に及ぼされる歪曲力から前記弁支持体を機械的に分離して、これにより、前記天然生体構造によって前記保持器上に及ぼされる歪曲力によって前記保持器が非円形形状に形成されているときに、前記弁支持体を実質的に円筒形状に維持するように、前記保持器は、前記弁支持体に結合されている、デバイス。
【請求項１３】
前記デバイスは、複数の構成に移動可能であり、前記複数の構成は、第１の構成と第２の構成と第３の構成とを含み、
前記第１の構成では、前記弁支持体および前記保持器は、半径方向に収縮され、前記弁支持体は、第１の断面形状を有し、
前記第２の構成では、前記弁支持体および前記保持器は、半径方向に拡張され、前記弁支持体は、前記第１の断面形状よりも大きい第２の断面形状を有し、
前記第３の構成では、前記保持器は、前記弁輪上の組織または前記弁輪付近の組織と係合され、前記弁輪上の組織または前記弁輪付近の組織によって少なくとも部分的に変形される一方で、前記弁支持体は、前記第２の断面形状のままである、請求項１２に記載のデバイス。
【請求項１４】
前記第２の構成は、不偏構成である、請求項１３に記載のデバイス。
【請求項１５】
前記弁支持体は、複数の支柱によって円周方向に接続された複数の柱を含み、前記保持器は、前記弁支持体から外向きかつ上流方向に延在する複数の弓形リブを含み、前記複数のリブは、前記弁支持体の周囲に分布している、請求項１２に記載のデバイス。
【請求項１６】
前記複数のアームは、前記弁輪または前記弁尖を貫通するための１つ以上の組織係合要素を含む、請求項１２に記載のデバイス。
【請求項１７】
前記複数のアームは、前記弁輪または前記弁輪の下流の前記弁尖の係合によって、心房に向かう前記デバイスの移動を阻止するように構成されている、請求項１２に記載のデバイス。
【請求項１８】
人工心臓弁デバイスであって、
人工弁を支持するように構成された拡張可能な弁支持体であって、前記弁支持体は、断面形状を有する、弁支持体と、
前記弁支持体に結合され、前記弁支持体を取り囲む拡張可能な保持器であって、前記保持器は、天然心臓弁輪または天然心臓弁尖の内側において、組織に係合して前記組織を密閉するように構成されている、保持器と、
前記弁支持体の下流部分に結合された複数のアームであって、前記複数のアームは、前記弁輪の下流の前記弁尖の内向き表面に係合するように構成されている、複数のアームと
を備え、
前記弁支持体は、前記保持器が前記組織との係合によって非円形の形状に変形されているときに前記人工弁が有能なままであるように、前記弁支持体の断面形状が実質的に円筒形のままであるように、前記保持器から機械的に分離されている、人工心臓弁デバイス。
【請求項１９】
前記デバイスが展開構成にあるときに、前記弁支持体の流入端は、前記保持器の一部から半径方向内向きである、請求項１８に記載の人工心臓弁デバイス。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
所定のゲームをプレイするためのゲーム用端末装置がネットワークを介して接続可能なサーバ装置を具備し、該サーバ装置には、前記ゲームと関連付けられた複数の景品のそれぞれに対応する景品データを記憶する記憶手段と、前記ゲーム用端末装置に対するユーザの操作と関連付けて、前記複数の景品の少なくとも一部を対象として設定されたゲーム端末向け抽選候補の景品群からユーザに付与すべき景品を抽選し、抽選された景品に対応する景品データを前記ゲームにて前記ユーザに利用可能とさせるための処理を実行する抽選手段が設けられたアミューズメントシステムにおいて、
前記ゲーム用端末装置とは異なる物理的装置として構成され、前記ネットワークを介して前記サーバ装置に接続されたベンダ装置をさらに具備し、
前記ベンダ装置には、ユーザの操作に基づいて前記サーバ装置に前記景品の抽選を要求する抽選要求手段と、前記サーバ装置から前記景品データ又は該景品データと等価なデータを景品出力用データとして取得し、該景品出力用データに基づいて、前記景品を所定の態様でユーザに出力する景品出力手段とが設けられ、
前記サーバ装置の前記抽選手段は、前記ベンダ装置の前記抽選要求手段からの前記抽選の要求に応答して、前記複数の景品の少なくとも一部を対象として設定されたベンダ向け抽選候補の景品群からユーザに付与すべき景品を抽選し、抽選された景品を識別する情報を前記ベンダ装置に通知し、
前記ベンダ装置の前記景品出力手段は、前記抽選手段から通知された情報に基づいて前記抽選された景品を識別し、識別された景品に対応する景品出力用データに基づいて、当該景品を前記ユーザに出力し、
前記ゲーム端末向け抽選候補の景品群の最大範囲、及び前記ベンダ向け抽選候補の景品群の最大範囲は共通化されており、
前記記憶手段は、前記ゲーム端末向け抽選候補の景品群に対応する景品データ、及び前記ベンダ向け抽選候補の景品群に対応する景品データを、互いに共通化した状態で記憶する、
アミューズメントシステム。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
シートの着座部の下に、物品を収納する収納ケースを取り付けるための取付構造であって、
前記シートは、
前記着座部の下に配置された第１支持部材と、
前記着座部の下に配置され、前記第１支持部材と前後に離れて設けられる第２支持部材と、を有し、
前記収納ケースは、
前記第１支持部材と前記第２支持部材に取り付けられるケース本体と、
前記ケース本体に設けられた第１収納部および第２収納部と、
前記第１支持部材に係止される第１係止部と、
前記第２支持部材に係止される第２係止部と、を有し、
前記第１支持部材の上端は、前記第２支持部材の上端よりも上に配置されており、
前記第１収納部と前記第２収納部の間には、前記ケース本体から突出し、前記シートの幅方向に延びる突出部が設けられていることを特徴とする取付構造。
【請求項２】
前記第１収納部は、前記第２収納部よりも下に底壁が設けられていることを特徴とする請求項１に記載の取付構造。
【請求項３】
前記第１収納部および前記第２収納部の底壁は、前記第１支持部材および前記第２支持部材よりも下に位置することを特徴とする請求項１または請求項２に記載の取付構造。
【請求項４】
前記ケース本体は、上部に開口を有する箱状に形成され、
前記第２収納部の上端は、前記第１収納部の上端および前記第１支持部材の上端よりも下に位置することを特徴とする請求項１から請求項３のいずれか１項に記載の取付構造。
【請求項５】
前記第２収納部は、前記第１収納部の後側に設けられ、
前記ケース本体の上面は、前から後に向かって低くなるように傾斜する傾斜部を、前記第２支持部材よりも前側に有していることを特徴とする請求項４に記載の取付構造。
【請求項６】
前記ケース本体は、前記第１収納部の左壁の上端よりも前記第２収納部の上端の方が低いことを特徴とする請求項４または請求項５に記載の取付構造。
【請求項７】
前記第１支持部材は前記第１収納部に当接し、前記第２支持部材は前記第２収納部に当接することを特徴とする請求項１から請求項６のいずれか１項に記載の取付構造。
【請求項８】
前記突出部の上端は、前記第２支持部材の下端よりも上に位置することを特徴とする請求項１から請求項７のいずれか１項に記載の取付構造。
【請求項９】
前記シートは、
左右一対のロアレールと、前記着座部に固定され前記ロアレールに係合する一対のアッパーレールとを備えるスライド機構と、
前記ロアレールに対応して設けられる左右一対のレール支持部材を含み、前記スライド機構を支持するベース部とを備え、
前記第１支持部材および前記第２支持部材は、前記一対のレール支持部材に架設され、
前記第１収納部および前記第２収納部の底壁は、前記ロアレールの上端よりも下に位置することを特徴とする請求項１から請求項８のいずれか１項に記載の取付構造。
【手続補正２】
【補正対象書類名】明細書
【補正対象項目名】０００９
【補正方法】変更
【補正の内容】
【０００９】
このような構成によれば、車両が振動したときに、どの方向に振動しても、第１係止部と第２係止部のいずれかが第１支持部材または第２支持部材に引っかかってケース本体の移動を規制するので、ケース本体がシートから外れにくい。
また、前記した目的を達成するため、本発明の取付構造は、シートの着座部の下に、物品を収納する収納ケースを取り付けるための取付構造であって、前記シートは、前記着座部の下に配置された第１支持部材と、前記着座部の下に配置され、前記第１支持部材と前後に離れて設けられる第２支持部材と、を有し、前記収納ケースは、前記第１支持部材と前記第２支持部材に取り付けられるケース本体と、前記ケース本体に設けられた第１収納部および第２収納部と、前記第１支持部材に係止される第１係止部と、前記第２支持部材に係止される第２係止部と、を有し、前記第１支持部材の上端は、前記第２支持部材の上端よりも上に配置されており、前記第１収納部と前記第２収納部の間には、前記ケース本体から突出し、前記シートの幅方向に延びる突出部が設けられていることを特徴とする。
前記した取付構造において、前記第１収納部は、前記第２収納部よりも下に底壁が設けられていてもよい。
前記した取付構造において、前記第１収納部および前記第２収納部の底壁は、前記第１支持部材および前記第２支持部材よりも下に位置するように構成されていてもよい。
前記した取付構造において、前記ケース本体は、上部に開口を有する箱状に形成され、前記第２収納部の上端は、前記第１収納部の上端および前記第１支持部材の上端よりも下に位置するように構成されていてもよい。
前記した取付構造において、前記第２収納部は、前記第１収納部の後側に設けられ、前記ケース本体の上面は、前から後に向かって低くなるように傾斜する傾斜部を、前記第２支持部材よりも前側に有していてもよい。
前記した取付構造において、前記ケース本体は、前記第１収納部の左壁の上端よりも前記第２収納部の上端の方が低く構成されていてもよい。
前記した取付構造において、前記第１支持部材は前記第１収納部に当接し、前記第２支持部材は前記第２収納部に当接するように構成されていてもよい。
前記した取付構造において、前記突出部の上端は、前記第２支持部材の下端よりも上に位置するように構成されていてもよい。
また、前記した取付構造において、前記シートは、左右一対のロアレールと、前記着座部に固定され前記ロアレールに係合する一対のアッパーレールとを備えるスライド機構と、前記ロアレールに対応して設けられる左右一対のレール支持部材を含み、前記スライド機構を支持するベース部とを備え、前記第１支持部材および前記第２支持部材は、前記一対のレール支持部材に架設され、前記第１収納部および前記第２収納部の底壁は、前記ロアレールの上端よりも下に位置するように構成されていてもよい。
【手続補正３】
【補正対象書類名】明細書
【補正対象項目名】００２０
【補正方法】変更
【補正の内容】
【００２０】
前記した取付構造において、前記第１上壁部は、前記下壁部の上に配置される部分に前記第１の方向に貫通する挿通孔を有し、前記蓋は、前記挿通孔に挿入される挿入部を有していてもよい。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
標的組織を治療するためのシステムであって、前記システムは、
切除デバイスであって、前記切除デバイスは、
近位部分、遠位部分、および前記近位部分から前記遠位部分まで延在する少なくとも１つの管腔を有する、伸長管と、
前記伸長管の遠位部分に搭載され、前記少なくとも１つの管腔と流体連通している、拡張可能治療要素と、
を備える、切除デバイスと、
流体を前記拡張可能治療要素に送達するように構築および配列されたエネルギー送達ユニットと
を備え、
前記システムは、熱用量を標的組織に送達するように構築および配列されており、前記熱用量を標的組織に送達することは、
前記エネルギー送達ユニットが、加熱流体を前記拡張可能治療要素に送達して前記標的組織を切除し、その後、冷却流体を前記拡張可能治療要素に送達して前記標的組織を冷却することを含み、
前記エネルギー送達ユニットはさらに、陰圧を印加して拡張可能治療要素から流体を除去する、システム。
【請求項２】
前記エネルギー送達ユニットは、前記陰圧を印加することによって反復高温流体充填、冷却、および排気サイクルを送達して、完全治療を達成する、請求項１に記載のシステム。
【請求項３】
前記高温および冷却流体と、前記陰圧とは、前記伸長管中の前記管腔を通して送達される、請求項１に記載のシステム。
【請求項４】
前記少なくとも１つの管腔は、前記拡張可能治療要素への前記流体の送達のための第１の管腔と、前記拡張可能治療要素から前記流体の除去のための第２の管腔とを備える、請求項１〜３のいずれかに記載のシステム。
【請求項５】
前記加熱流体の送達は、前記治療要素を通して加熱流体を循環させることを含む、請求項１〜４のいずれかに記載のシステム。
【請求項６】
前記加熱流体は、前記治療要素の中、上、および／または付近に一定の温度で維持される、請求項５に記載のシステム。
【請求項７】
前記加熱流体は、６５℃から９９℃の間の温度で維持される、請求項６に記載のシステム。
【請求項８】
前記システムは、エネルギーの複数の熱用量を前記標的組織に送達するように構築および配列されている、請求項１〜７のいずれかに記載のシステム。
【請求項９】
第１の用量は、第１の組織場所に送達され、第２の用量は、第２の組織場所に送達される、請求項８に記載のシステム。
【請求項１０】
流入ポートと、流出ポートとをさらに備え、前記流入ポートおよび流出ポートは、前記治療要素と流体連通している、請求項１〜９のいずれかに記載のシステム。
【請求項１１】
前記熱用量は、十二指腸漿膜への損傷を回避しながら、十二指腸粘膜を切除するように構築および配列されている、請求項１〜１０のいずれかに記載のシステム。
【請求項１２】
前記システムはさらに、前記拡張可能治療要素を熱的に準備するように構築および配列されている、請求項１〜１１のいずれかに記載のシステム。
【請求項１３】
前記システムはさらに、前記拡張可能治療要素を１０秒以内に膨張させるように構築および配列されている、請求項１〜１２のいずれかに記載のシステム。
【手続補正書】
【提出日】平成30年12月21日(2018.12.21)
【手続補正１】
【補正対象書類名】明細書
【補正対象項目名】０００７
【補正方法】変更
【補正の内容】
【０００７】
上記課題を解決するため、請求項１に記載の発明の画像記録装置は、
撮影による画像の記録時における撮影者による所定の行動を認識する認識手段と、
前記認識手段により認識された前記所定の行動に対応する付加情報を前記画像撮影により取得された撮影画像に付加する付加手段と、
前記付加手段により付加情報が付加された前記撮影画像を記録する記録手段と、
を備える。
【手続補正２】
【補正対象書類名】特許請求の範囲
【補正対象項目名】全文
【補正方法】変更
【補正の内容】
【特許請求の範囲】
【請求項１】
撮影による画像の記録時における撮影者による所定の行動を認識する認識手段と、
前記認識手段により認識された前記所定の行動に対応する付加情報を前記画像撮影により取得された撮影画像に付加する付加手段と、
前記付加手段により付加情報が付加された前記撮影画像を記録する記録手段と、
を備える画像記録装置。
【請求項２】
前記所定の行動と、その行動に対応する付加情報を対応付けて記憶する記憶手段を備え、
前記付加手段は、前記認識手段により前記記憶手段に記憶されている行動が認識された場合に、その認識された行動に対応する付加情報を前記撮影画像に付加する請求項１に記載の画像記録装置。
【請求項３】
前記付加情報は、前記撮影画像の評価情報又は被写体の識別情報である請求項１又は２に記載の画像記録装置。
【請求項４】
前記撮影画像に付加された付加情報に基づいて、前記撮影画像に対する動作を制御する制御手段を備える請求項１〜３のいずれか一項に記載の画像記録装置。
【請求項５】
前記所定の行動は、所定の音声の発声又は所定のジェスチャーを含む請求項１〜４のいずれか一項に記載の画像記録装置。
【請求項６】
前記撮影画像は動画像である請求項１〜５のいずれか一項に記載の画像記録装置。
【請求項７】
前記認識手段により前記所定の音声が発声されたことが認識された場合に、当該音声を削除する削除手段を備える請求項６に記載の画像記録装置。
【請求項８】
前記認識手段は、前記動画像に基づいて前記所定の行動の認識を行い、
前記動画像を再生する再生手段と、
前記再生手段により前記動画像を再生する際に、前記認識手段により前記所定の行動が認識された範囲については再生が行われないように制御する再生制御手段と、
を備える請求項６に記載の画像記録装置。
【請求項９】
前記再生制御手段は、前記認識手段により認識された前記所定の行動が所定の音声の発声である場合に、前記再生手段による前記動画像の再生時に前記所定の音声を消音するよう制御する請求項８に記載の画像記録装置。
【請求項１０】
前記再生制御手段は、前記認識手段により認識された前記所定の行動が所定のジェスチャーである場合に、前記再生手段による前記動画像の再生時に前記動画像中の前記所定のジェスチャーが認識されたフレーム画像を再生対象から除くよう制御する請求項８又は９に記載の画像記録装置。
【請求項１１】
撮影による画像の記録時における撮影者による所定の行動を認識する認識工程と、
前記認識工程において認識された前記所定の行動に対応する付加情報を前記画像撮影により取得された撮影画像に付加する付加工程と、
前記付加工程において付加情報が付加された前記撮影画像を記録手段に記録する記録工程と、
を含む画像記録方法。
【請求項１２】
コンピュータを、
撮影による画像の記録時における撮影者による所定の行動を認識する認識手段、
前記認識手段により認識された前記所定の行動に対応する付加情報を前記画像撮影により取得された撮影画像に付加する付加手段、
前記付加手段により付加情報が付加された前記撮影画像を記録する記録手段、
として機能させるためのプログラム。
【手続補正書】
【提出日】平成30年12月28日(2018.12.28)
【手続補正１】
【補正対象書類名】明細書
【補正対象項目名】０１０８
【補正方法】変更
【補正の内容】
【０１０８】
特定の例及び好適実施形態に関して本発明を説明したが、理解されるように、本発明はこれらの例及び実施形態に限定されない。特許請求される本発明は、故に、当業者に理解されることになるような、ここに記載された特定の例及び好適実施形態からの変形を含む。複数の具体的な実施形態の一部が別々に記述されて特許請求されていることがあるが、理解されるように、ここに記述されて特許請求される実施形態の様々な特徴が組み合わせて使用されてもよい。請求項中に現れる参照符号は、単に例示によるものであり、請求項の範囲への限定効果を有するものではない。
上記実施形態の一部又は全部は、以下の付記のようにも記載されうるが、以下には限られない。
（付記１）
シーンのＨＤＲ画像を生成する方法であって、前記シーンを撮像する現在フレームが現在露出の下でキャプチャされており、前記シーンを撮像する先行フレームが前記現在フレームの前にキャプチャされており、当該方法は、
前記現在露出と、前記現在フレームの画素の色の第１の輝度分布と、前記画素の動きによって重み付けられた前記画素の色の第２の輝度分布との関数として、次フレームに関する露出を設定することであり、前記動きは、前記先行フレームとの比較で前記画素に関して評価される、設定することと、
前記設定された露出の下で前記次フレームをキャプチャすることと、
前記次フレームを、ＨＤＲ画像へと、少なくとも前記現在フレームと融合することと
を有する、ＨＤＲ画像を生成する方法。
（付記２）
前記次フレームに関する前記露出は、前記現在フレームに関する露出変化の好適方向の関数としても設定される、付記１に記載のＨＤＲ画像を生成する方法。
（付記３）
前記次フレームに続くフレームに関する露出変化の好適方向を決定すること、を有する付記２に記載のＨＤＲ画像を生成する方法。
（付記４）
前記次フレームに関する露出を設定することは、前記第１の輝度分布に基づくが前記第２の輝度分布には基づかない当初露出の概算と、前記第２の輝度分布に基づく調整された露出の概算と、前記次フレームに関する前記露出の値として前記当初露出と前記調整された露出との間で選択を行うように適応された、前記次フレームに関する前記露出の最終的な見積もりとを有する、付記１乃至３の何れか一に記載のＨＤＲ画像を生成する方法。
（付記５）
特に先行フレームをキャプチャし且つ現在露出の下で現在フレームをキャプチャするよう、シーンを撮像する順次のフレームをキャプチャするように構成されたフレームセンサと、
プロセッサであり、
前記現在露出と、前記現在フレームの画素の色の第１の輝度分布と、前記画素の動きによって重み付けられた前記画素の色の第２の輝度分布との関数として、次フレームに関する露出を設定し、前記動きは、前記先行フレームとの比較で前記画素に関して評価され、
前記フレームセンサにより前記設定された露出の下での前記次フレームのキャプチャを引き起こし、
前記次フレームを、ＨＤＲ画像へと、少なくとも前記現在フレームと融合する
ように構成されたプロセッサと、
を有するＨＤＲ画像キャプチャ装置。
（付記６）
前記プロセッサはまた、前記次フレームに関する前記露出を、前記現在フレームに関する露出変化の好適方向の関数としても設定するように構成されている、付記５に記載のＨＤＲ画像キャプチャ装置。
（付記７）
前記プロセッサはまた、前記次フレームに続くフレームに関する露出変化の好適方向を決定するように構成されている、付記６に記載のＨＤＲ画像キャプチャ装置。
（付記８）
前記プロセッサはまた、前記次フレームに関する露出を設定することが、前記第１の輝度分布に基づくが前記第２の輝度分布には基づかない当初露出の概算と、前記第２の輝度分布に基づく調整された露出の概算と、前記次フレームに関する前記露出の値として前記当初露出と前記調整された露出との間で選択を行うように適応された、前記次フレームに関する前記露出の最終的な見積もりとを有するように構成されている、付記５乃至７の何れか一に記載のＨＤＲ画像キャプチャ装置。
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
通信プラグをグリップするように構成されたプラグ端であって、前記プラグ端が、前記通信プラグの両側に沿って延在する、対向するアームを有し、前記アームが、前記通信プラグのラッチの頂点を越えるポイントまで延在し、前記アームが、前記通信プラグの前記ラッチを覆われていないままにするようにさらに構成されている、プラグ端と、
前記プラグ端から延伸するプルタブと、
を備えた、ラッチを含む通信プラグ用のラッチガードであって、
前記対向するアームが、前記通信プラグの上部に向かって内側に曲がる、ラッチガード。
【請求項２】
前記プルタブが、前記プラグ端に対向する前記アームに接続されたループを含む、請求項１記載のラッチガード。
【請求項３】
前記通信プラグが、少なくとも一つの凹部を持つハウジングを含み、前記ラッチガードの前記プラグ端の一部分が、少なくとも一つの前記凹部に係合するためのタブを有する、請求項１記載のラッチガード。
【請求項４】
前記通信プラグの少なくとも一つの前記凹部が、圧着ウィンドウである、請求項３記載のラッチガード。
【請求項５】
前記通信プラグがＲＪ４５プラグである、請求項１記載のラッチガード。
【請求項６】
通信ケーブルと、
前記通信ケーブルに接続されており、ラッチを含む通信プラグと、
前記通信プラグに接続されたラッチガードであって、前記ラッチガードが、前記通信プラグをグリップするように構成されたプラグ端であって、前記プラグ端が、前記通信プラグの両側に沿って延在する、対向するアームを有し、前記アームが、前記通信プラグのラッチの頂点を越えるポイントまで延在し、前記アームが、前記通信プラグの前記ラッチを覆われていないままにするようにさらに構成されている、プラグ端と、前記プラグ端から延伸するプルタブと、を有し、前記対向するアームが、前記通信プラグの上部に向かって内側に曲がる、ラッチガードと、
を備えている通信コード。
【請求項７】
前記プルタブが、前記プラグ端に対向する前記アームに接続されたループを含む、請求項６記載の通信コード。
【請求項８】
前記通信プラグが、少なくとも一つの凹部を持つハウジングを含み、前記プラグ端の一部分が、少なくとも一つの前記凹部に係合するためのタブを有する、請求項６記載の通信コード。
【請求項９】
前記通信プラグの少なくとも一つの前記凹部が、圧着ウィンドウである、請求項８記載の通信コード。
【請求項１０】
前記通信プラグがＲＪ４５プラグである、請求項６記載の通信コード。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
重合性化合物と、光重合開始剤と、を含有する組成物を用いて基材上に組成物層を形成する工程と、
凹凸構造を有するモールドを前記組成物層表面に圧接し、前記凹凸構造を前記組成物層に転写してパターン形成層を形成する工程と、
前記パターン形成層を光硬化して、凹凸構造を有する硬化層を形成する工程と、を含み、
凹凸構造を有する硬化層を有する光学部材の製造方法であって、
前記重合性化合物が、ウレタン（メタ）アクリレート単量体（ａ）を含有し、
前記組成物が、前記重合性化合物１００質量部に対して０．００５〜０．５質量部の前記光重合開始剤を含有し、
前記凹凸構造を有する硬化層の膜厚が、０．５ｍｍ〜１ｃｍである光学部材の製造方法。
【請求項２】
前記重合性化合物が、前記ウレタン（メタ）アクリレート単量体（ａ）以外の（メタ）アクリレート単量体（ｂ）をさらに含有する請求項１に記載の光学部材の製造方法。
【請求項３】
前記（メタ）アクリレート単量体（ｂ）が、脂環構造又はヘテロ環構造を有する請求項２に記載の光学部材の製造方法。
【請求項４】
前記ウレタン（メタ）アクリレート単量体（ａ）と前記（メタ）アクリレート単量体（ｂ）との配合比率が、質量比で（ａ）：（ｂ）＝１００：０〜２０：８０である請求項２又は３に記載の光学部材の製造方法。
【請求項５】
前記ウレタン（メタ）アクリレート単量体（ａ）及び前記（メタ）アクリレート単量体（ｂ）における１分子中の（メタ）アクリロイル基の数がそれぞれ２〜６である請求項２〜４のいずれか一項に記載の光学部材の製造方法。
【請求項６】
前記ウレタン（メタ）アクリレート単量体（ａ）及び前記（メタ）アクリレート単量体（ｂ）の少なくともいずれかにメタクリロイル基を有する単量体を含む請求項２〜５のいずれか一項に記載の光学部材の製造方法。
【請求項７】
前記重合性化合物が、（メタ）アクリロイル基以外の重合性基を有する単量体（ｃ）をさらに含有する請求項１〜６のいずれか一項に記載の光学部材の製造方法。
【請求項８】
前記単量体（ａ）〜（ｃ）の少なくともいずれかに分子量が４００以上である単量体を含む請求項７に記載の光学部材の製造方法。
【請求項９】
前記ウレタン（メタ）アクリレート単量体（ａ）、前記（メタ）アクリレート単量体（ｂ）及び前記単量体（ｃ）からなる群より選択される少なくともいずれかの単量体が、環構造を有する請求項７又は８に記載の光学部材の製造方法。
【請求項１０】
請求項１〜９のいずれか一項に記載の光学部材の製造方法に用いられる組成物であって、
重合性化合物と、光重合開始剤と、を含有し、
前記重合性化合物が、ウレタン（メタ）アクリレート単量体（ａ）を含有し、
前記組成物が、前記重合性化合物１００質量部に対して０．００５〜０．５質量部の前記光重合開始剤を含有する組成物。
【手続補正書】
【提出日】令和1年6月19日(2019.6.19)
【手続補正１】
【補正対象書類名】明細書
【補正対象項目名】発明の名称
【補正方法】変更
【補正の内容】
【発明の名称】ロジック回路
【手続補正２】
【補正対象書類名】特許請求の範囲
【補正対象項目名】全文
【補正方法】変更
【補正の内容】
【特許請求の範囲】
【請求項１】
ダイナミックロジック回路と、
第１容量素子と、を有するロジック回路であって、
前記ダイナミックロジック回路は評価回路を有し、
前記第１容量素子の第１端子は前記ダイナミックロジック回路の第１出力ノードと電気的に接続され、
前記第１容量素子の第２端子は前記ロジック回路の第２出力ノードと電気的に接続され、
前記評価回路は複数のトランジスタを有し、
前記複数のトランジスタは同じ導電型を有し、
前記複数のトランジスタはそれぞれバックゲートを有し、
前記複数のトランジスタの前記バックゲートには、複数の信号がそれぞれ入力されるロジック回路。
【請求項２】
請求項１において、
前記複数のトランジスタの一の前記バックゲートには、前記複数のトランジスタの一のフロントゲートと同じ信号が入力されるロジック回路。
【請求項３】
請求項１において、
前記複数のトランジスタの一の前記バックゲートには、前記複数のトランジスタの一のフロントゲートと異なる信号が入力されるロジック回路。
【請求項４】
請求項１乃至請求項３のいずれか一において、
前記複数のトランジスタのチャネル形成領域は酸化物半導体を有するロジック回路。
【請求項５】
ダイナミックロジック回路と、
第１容量素子と、
第１トランジスタと、を有するロジック回路であって、
前記ダイナミックロジック回路は評価回路を有し、
前記第１容量素子の第１端子は前記ダイナミックロジック回路の第１出力ノードと電気的に接続され、
前記第１容量素子の第２端子は前記ロジック回路の第２出力ノードと電気的に接続され、
前記評価回路は複数の第２トランジスタを有し、
前記第１トランジスタ、及び前記複数の第２トランジスタは同じ導電型を有し、
前記第１トランジスタはダイオード接続され、
前記第１トランジスタの第１端子は前記第２出力ノードと電気的に接続され、
前記第１トランジスタの第２端子には第１電圧が入力され、
前記第１トランジスタはバックゲートを有し、
前記第１トランジスタの前記バックゲートには第１信号が入力され、
前記複数の第２トランジスタはそれぞれバックゲートを有し、
前記複数の第２トランジスタの前記バックゲートには、複数の第２信号がそれぞれ入力されるロジック回路。
【請求項６】
請求項５において、
前記複数の第２トランジスタの一の前記バックゲートには、前記複数の第２トランジスタの一のフロントゲートと同じ信号が入力されるロジック回路。
【請求項７】
請求項５において、
前記複数の第２トランジスタの一の前記バックゲートには、前記複数の第２トランジスタの一のフロントゲートと異なる信号が入力されるロジック回路。
【請求項８】
請求項５乃至請求項７のいずれか一において、
前記第１トランジスタ、及び前記複数の第２トランジスタのチャネル形成領域は酸化物半導体を有するロジック回路。
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
無線周波数信号処理用のマルチプレクサであって、
複数のノードと、
共通ノードと、
前記複数のノードのそれぞれと前記共通ノードとの間に実装された信号経路と
を含み、
各対応信号経路がフィルタ及び対応共振器を含み、
複数の信号経路それぞれが、前記共通ノードを通るそれぞれの信号のキャリアアグリゲーションをサポートするように構成されるマルチプレクサ。
【請求項２】
各対応信号経路が、前記それぞれの信号に対し、前記対応共振器なしで各対応信号経路が与えるよりも鋭いＶ字曲線を与える請求項１のマルチプレクサ。
【請求項３】
前記複数のノードは複数の入力ノードそれぞれに対応し、
前記共通ノードは出力ノードに対応する請求項２のマルチプレクサ。
【請求項４】
前記マルチプレクサは、２つの入力ノードが対応信号経路を通って前記共通ノードに結合されるダイプレクサである請求項３のマルチプレクサ。
【請求項５】
前記マルチプレクサは、３つの入力ノードが対応信号経路を通って前記共通ノードに結合されるトライプレクサである請求項３のマルチプレクサ。
【請求項６】
前記マルチプレクサは、４つの入力ノードが対応信号経路を通って前記共通ノードに結合されるクワッドプレクサである請求項３のマルチプレクサ。
【請求項７】
付加入力ノードと前記共通ノードとの間に実装されてフィルタを有するが共振器は有しない付加信号経路をさらに含む請求項３のマルチプレクサ。
【請求項８】
それぞれの共振器を有する対応信号経路が、前記付加信号経路に関連付けられた周波数範囲よりも高い周波数を有する信号を処理するべく構成される請求項７のマルチプレクサ。
【請求項９】
前記対応共振器及び前記フィルタは、前記対応信号経路において直列に接続される請求項３のマルチプレクサ。
【請求項１０】
前記対応共振器は前記フィルタの上流側に実装される請求項９のマルチプレクサ。
【請求項１１】
前記対応共振器は前記フィルタの下流側に実装される請求項９のマルチプレクサ。
【請求項１２】
前記対応信号経路はさらに付加対応共振器を含む請求項９のマルチプレクサ。
【請求項１３】
前記フィルタは２つの対応共振器の間に実装される請求項１２のマルチプレクサ。
【請求項１４】
各対応共振器が、対応フィルタのＱファクタ値よりも高いＱファクタ値を有する請求項３のマルチプレクサ。
【請求項１５】
各フィルタが帯域通過フィルタである請求項１４のマルチプレクサ。
【請求項１６】
各対応共振器が弾性表面波共振器である請求項１５のマルチプレクサ。
【請求項１７】
各対応共振器が、弾性バルク波共振器又は高Ｑファクタ値を有する共振器である請求項１５のマルチプレクサ。
【請求項１８】
無線周波数モジュールであって、
複数のコンポーネントを受容するべく構成されたパッケージング基板と、
前記パッケージング基板に対して実装されたマルチプレクサと
を含み、
前記マルチプレクサは、
複数のノードと、
共通ノードと、
前記複数のノードのそれぞれと前記共通ノードとの間に実装された信号経路と
を含み、
各対応信号経路がフィルタ及び対応共振器を含み、
複数の対応信号経路が、前記共通ノードを通るそれぞれの信号のキャリアアグリゲーションをサポートするように構成される無線周波数モジュール。
【請求項１９】
ワイヤレスデバイスであって、
受信器と、
前記受信器と通信する無線周波数モジュールと、
前記無線周波数モジュールと通信するアンテナと
を含み、
前記無線周波数モジュールは、複数のノード及び共通ノードを有するマルチプレクサを含み、
前記マルチプレクサはさらに、前記複数のノードのそれぞれと前記共通ノードとの間に実装された信号経路を含み、
各対応信号経路はフィルタ及び対応共振器を含み、
複数の対応信号経路は、前記共通ノードを通るそれぞれの信号のキャリアアグリゲーションをサポートするように構成され、
前記アンテナは、前記それぞれの信号を受信するように構成されるワイヤレスデバイス。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
キャリアアグリゲーションシステムであって、
各々が別個のキャリアと関連付けられる無線周波数源と、
キャリアアグリゲート信号を提供するように構成される送信出力とを備え、前記キャリアアグリゲート信号は、前記無線周波数源と関連付けられる前記別個のキャリアのアグリゲーションを含み、前記キャリアアグリゲーションシステムはさらに、
前記別個のキャリアのうちの１つの無線周波数電力の表示を提供するように構成される方向性結合器を備える、キャリアアグリゲーションシステム。